(57)【特許請求の範囲】
【請求項１】
スクリーンの有効部外に設けた粘着剤によって、１枚に貼り合わされる、複数枚のフィルム、シート類からなる略四角形状のスクリーン部をその１辺側から巻取り収納するスクリーン装置であって、前記スクリーン部の１辺を固定保持する保持固定部と、この保持固定部がある側とは反対側から前記スクリーン部を巻き取り収納する巻き取り部と、前記スクリーン部を前記巻き取り部から引き出す際に前記粘着剤によって前記複数枚のフィルム、シート類を１枚に貼り合わせる貼り合わせ部と、前記スクリーン部を展張する際に両端部で前記保持固定部を固定して前記スクリーン全体を支持する一対のスタンドとを設け、前記巻取り部は、前記フイルム、シート類をそれぞれ個別に巻き取る巻き取り駆動部を有することを特徴とするスクリーン装置。
【請求項２】
請求項１における一対のスタンドは、保持固定部を両側にて保持しながら伸縮ないし折り畳み式でその上下方向ないし左右方向の距離を変える、スクリーン部を展張ないし収納する際のガイドとなるものであることを特徴とするスクリーン装置。
【請求項３】
請求項２における一対のスタンドは、折り畳み式で一方の端を保持固定部に取外し可能な状態で嵌合して固定されており、他方の端は巻き取り駆動部に可動状態で固定されていることを特徴とするスクリーン装置。
【請求項４】
請求項１ないし３における一対のスタンドは、スクリーン側面に溝を設けたもので、スクリーン部を展張した際には、スクリーン部の端部がスタンドの溝内に収まるものであることを特徴とするスクリーン装置。
【請求項５】
請求項１ないし４において、巻き取り部には、スクリーン部を展張する際に、過剰に引き出しをすることを防止するためのストッパーが設けられていることを特徴とするスクリーン装置。
【請求項６】
請求項１ないし５において、巻き取り駆動部は、バネを駆動源としたものであることを特徴とするスクリーン装置。
【発明の詳細な説明】
【０００１】
【産業上の利用分野】
本発明は，テレビジョン、ビデオ・プロジェクタ、映写機、スライド・プロジェクタ等の投影スクリーン（プロジェクションスクリーン）装置に関する。
【０００２】
【従来の技術】
近年、プロジェクションステレビジョン等のプロジェクターは、投影系の小型化に伴い、小型軽量化が進んでいる。
最近では卓上におくことができるの小型のプロジェクターまでが登場するようになってきたが、このプロジェクターは、小型で使用する場所の制限がなくなり、個人の部屋で反射型あるいは透過型のプロジェクターとして使用できるようになった。
また、使用されるスクリーン部についても、画質向上の種々の工夫が施されてきている。例えばスクリーン部の構成については、従来、フィルム、レンズシート類一枚にて構成されていたものを、二枚以上の構成にして画質を向上させている。
また、プロジェクター用のスクリーン装置としては、使用時以外にスクリーン部の巻き取りができる構造のものが多く、特に反射型のスクリーン装置についてはほとんど巻き取りができる構造を採用している。
【０００３】
しかしながら、複数のフィルム、レンズシート類からなる、スクリーン部の巻き取りができる構造のスクリーン装置においては、シートの浮き、シワが発生し易く、これが画質の低下をもたらし問題となっていた。
巻取り構造をもつスクリーン装置としては、実開平６−１０９４４号公報に、巻き取り収納機構を下に置き、使用するときだけ下から引き上げるスクリーン装置が開示されている。しかし、この装置の場合は、一枚のフィルム、レンズシート類からなる、スクリーン部の巻き取りをシートの浮き、シワの発生なくできるものであるが、複数のフィルム、レンズシート類からなるスクリーン部の巻き取きを対象とした構造ではない。
複数のフィルム、レンズシート類からなる、スクリーン部の巻き取りができる構造のスクリーン装置に関しては、特公平６−５８４９４号公報に、スクリーン部周辺に可撓性を有するチューブを介して貼り合わせ、使用する際にチューブ内に空気などを圧入して展張させて使用する方式のスクリーン装置が開示されているが、この方式の場合、スクリーン部を巻き取る際に最後の方にシワが発生し、このシワが原因でスクリーン部を伸ばして使用しているときにもシワが寄ったり、あるフィルム、レンズシートだけが浮いたりする。そして結果的に画質の低下をもたらしていた。
【０００４】
【発明が解決しようとする課題】
上記のように、複数のフィルム、レンズシート類からなるスクリーン部を巻き取ることができる構造のスクリーン装置においては、巻き取りに起因したシートの浮きやシワが発生がないものが、表示画質の点から求められていた。
本発明は、このような状況のもと、複数のフィルム、レンズシート類からなるスクリーン部を巻き取ることができる構造で、巻き取りに起因したシートの浮きやシワが発生しないスクリーン装置を提供しようとするものである。
【０００５】
【課題を解決するための手段】
本発明のスクリーン装置は、スクリーンの有効部外に設けた粘着剤によって、１枚に貼り合わされる、複数枚のフィルム、シート類からなる略四角形状のスクリーン部をその１辺側から巻取り収納するスクリーン装置であって、前記スクリーン部の１辺を固定保持する保持固定部と、この保持固定部がある側とは反対側から前記スクリーン部を巻き取り収納する巻き取り部と、前記スクリーン部を前記巻き取り部から引き出す際に前記粘着剤によって前記複数枚のフィルム、シート類を１枚に貼り合わせる貼り合わせ部と、前記スクリーン部を展張する際に両端部で前記保持固定部を固定して前記スクリーン全体を支持する一対のスタンドとを設け、前記巻取り部は、前記フイルム、シート類をそれぞれ個別に巻き取る巻き取り駆動部を有することを特徴とするものである。
そして、上記における一対のスタンドは、保持固定部を両側にて保持しながら伸縮ないし折り畳み式でその上下方向ないし左右方向の距離を変える、スクリーン部を展張ないし収納する際のガイドとなるものであることを特徴とするものであり、
上記一対のスタンドは、折り畳み式で一方の端を保持固定部に取外し可能な状態で嵌合して固定されており、他方の端は巻き取り駆動部に可動状態で固定されていることを特徴とするものである。
そして、上記における一対のスタンドは、スクリーン側面に溝を設けたもので、スクリーン部を展張した際には、スクリーン部の端部がスタンドの溝内に収まるものであることを特徴とするものである。
そしてまた、上記において、巻き取り部には、スクリーン部を展張する際に、過剰に引き出しをすることを防止するためのストッパーが設けられていることを特徴とするものである。
そして、上記において、巻き取り駆動部は、バネを駆動源としたものであることを特徴とするものである。
尚、上記保持固定部を引張り、スクリーン部１１０を巻取り部から引き出し展張りする際には、スクリーン部は、巻き取り部のスクリーン部引き出し口付近に設けられた各フィルム、シートを貼り合わせるための貼り合わせ用のリップあるいはスポンジロールのような傷の付きにくいものでできたロールなどを通り、ここでスクリーンの有効部外に設けた粘着剤によって複数枚のフィルムシートは１枚貼り合わされる。
【０００６】
【作用】
本発明のスクリーン装置は、上記のように構成することにより、複数のフィルム、レンズシート類からなるスクリーン部を巻き取ることができる構造のスクリーン装置において、巻き取りに起因したシートの浮きやシワが発生がないものとしている。
詳しくは、複数枚のフィルム、シート類からなるスクリーン部を巻き取る際に、スクリーン部を構成する各フイルム、シートを、それぞれ個別の巻き取り駆動部により巻き取ることにより、従来の装置において巻きとる際に発生したシートの浮きやシワの発生を防止できるものとしている。
そして、一対のスタンドは、保持固定部を両側にて保持しながら伸縮ないし折り畳み式で保持固定部の巻き取り部からの上下方向ないし左右方向の距離を変える、スクリーン部を展張ないし収納する際のガイドとなるものとし、且つ、上記一対のスタンドは折り畳み式で一方の端を保持固定部に取外し可能な状態で嵌合して固定され、他方の端は巻き取り駆動部に可動状態で固定されていることにより、全体を簡単な構造で、且つ、コンパクトなものとしている。
さらに、上記一対のスタンドのスクリーンの側面に溝を設け、スクリーン部を展張した際には、スクリーン部の端部がスタンドの溝内に収まるものとしたことより、スクリーンを観る場合にも外観が良いものとしている。
そして、巻き取り部には、スクリーン部を展張する際に過剰に引き出すことを防止するためのストッパーが設けられていることにより、過剰の引き出しによるスクリーン部の損傷発生がないものとしている。
また、巻き取り駆動部は、バネを駆動源としたものであることより、電源等のエネルギー源を必要としない構造で、どこでも使用できるものとし、且つ駆動部自体の構造を簡単なものとできる。
【０００７】
【実施例】
本発明のスクリーン装置の実施例を挙げ、図にもとづいて説明する。
図１（ａ）は、本実施例のスクリーン装置のスクリーン部を展張した状態の概略斜視図で、図１（ｂ）は、図１（ａ）のスクリーン部１１０の手前側からスクリーン部を巻き取る巻き取り部の外観を示したもので、図１（ｃ）は、図１（ｂ）に対応する箇所で、スクリーン部を巻き取った状態の巻き取り部の内部を透視してみた図である。また、図２（ａ）は図１（ａ）に示すスタンド兼ガイド１４０をスクリーン部１１０側からみた側面図で、図２（ｂ）はスタンド兼ガイド１４０を外部側からみた側面図である。
図１、図２中、１００はスクリーン装置、１１０はスクリーン部、１２０は巻き取り部、１２１は巻き取り装置、１２２は外装壁、１３０は保持固定部、１４０はスタンド兼ガイド、１４１は折り曲げ部、１４１Ａは蝶番、１４２は溝、１４３は保持固定部受け用溝、１４４Ａ、１４４Ｂは直線柱部、１４５は蝶番である。
本実施例のスクリーン装置は、２枚のフィルム、シートからなるスクリーン部を、展張してスクリーンとして使用し、且つ巻き取り部にてスクリーン部を巻取り収納するスクリーン装置であって、図１（ａ）に示すように、展張された際には、スクリーン部１１０は、下側を巻取り部１２０、上側を保持固定部１３０にて固定されて展張される。
図１に示すスクリーン部１１０を展張した状態においては、スクリーン部１１０の上端部全体は保持固定部１３０により引っ張られており、且つ該保持固定部１３０は、図２に示すスタンド兼ガイド１４０の保持固定部受け用溝１４３により固定部を嵌め込み固定されている。そして、後述するが図３に示すストッパー１２６Ａ、１２６Ｂと保持固定部間のフィルム、シートが伸ばされ、スクリーン部１１０が展張されるのである。
そして図１（ｃ）に示すように、スクリーン部１１０を巻き取った状態においては、巻き取り部１２０内に、スクリーン部１１０、保持固定部１３０、スタンド兼ガイド１４０が収まるようになる。
巻き取る際にはスタンド兼ガイド１４０は折り曲げ部１４１を境としスクリーン部１１０から外部に向かって折れるようになってる。折り曲げ部１４１はスタンド兼ガイド１４０の２本の直線柱部１４４Ａ、１４４Ｂをスクリーン１１０側とは反対側の外部側側面にて蝶番１４１Ａにより連結して折り曲げ動作ができるようになっている。そして、図２に示すように、展張した状態では２本の直線柱部１４４Ａ、１４４Ｂの端面は互いに接するようになっている。
【０００８】
保持固定部受け用溝１４３において、保持固定部１３０をスタンド兼ガイド１４０が固定しているが、スタンド兼ガイド１４０の折り曲げ動作に対応できるように可動となっており、本実施例の場合は、スタンド兼ガイド１４０の保持固定部受け用溝１４３に保持固定部１３０を嵌合するようにしており、必要に応じて取り外しができる。そして、図２（ａ）に示すように、スタンド兼ガイド１４０は巻き取り部とも蝶番１４５にて連結し、スタンド兼ガイド１４０の折り曲げ動作に対応できるように可動となっている。
即ち、一対のスタンド兼ガイド１４０は、折り畳み式で一方の端を保持固定部に取外し可能な状態で嵌合して固定されており、他方の端は巻き取り駆動部に可動状態で固定されていることにより、スクリーン部１１０の展張の動作、巻き取りの動作の際においても、全体が一体として動くものとしており、且つ、全体を一体物としたコンパクトな構造としている。
尚、本実施例の場合には、スタンド兼ガイド１４０を折り曲げる構造をとっているがこれに限定される必要はない。
【０００９】
スタンド兼ガイド１４０は、図２に示すように、展張の動作、巻き取りの動作の際において、スクリーン部と接触しないように、溝１４２を設けており、折り曲がった際には、スクリーンが溝１４２に逃げるようになり、スクリーン部１１０とスタンド兼ガイド１４０との接触が起きないようにしている。
尚、図２（ａ）の各部Ａ１−Ａ２、Ｂ１−Ｂ２、Ｃ１−Ｃ２におけるスタンド兼ガイドの断面形状を図２（ｃ）（イ）、図２（ｃ）（ロ）、図２（ｃ）（ハ）にそれぞれ示しておく。
【００１０】
図３（ａ）は、図１（ｃ）に示す巻き取り部１２０の巻取り装置１２１を図１（ｃ）のＤ１−Ｄ２における断面図で、フィルムシート１１０Ａとフィルムシート１１０Ｂとからなるスクリーン部１１０を展張した状態の図である。
フィルムシート１１０Ａは巻き取り駆動部１２５Ａにて巻き取りがなされ、フィルムシート１１０Ｂは巻き取り駆動部１２５Ｂにて巻き取りがなされ、展張時に、スクリーン部１１０が過剰に引き出されないように、過剰引き出し防止ストッパー１２６Ａ、１２６Ｂが設けられている。
巻き取り駆動部１２５Ａ、１２５Ｂはぜんまいバネにより駆動させるものである。
１２７はスクリーンを展張しながら貼り合わせるための貼り合わせ用リップである。展張のためにスクリーン１１０を引き出す際に、スクリーン１１０の有効外部に設けた粘着剤によって貼り合わせる。
本実施例においては、リップ型の貼り合わせ治具を用いたが、これに限定されるものではない。ほかに図３（ｂ）のようにスポンジロール１２８Ａ、１２８Ｂなどを用いる方法もある。
【００１１】
保持固定部１３０については、図４（ａ）にその一部を示し簡単に説明しておく。
図４（ａ）に示すように保持固定部１３０は、一対の互いに嵌合する第一の部材１３１と第二の部材１３２からなり、フィルムシート１１０Ａ、１１０Ｂからなるスクリーン部１１０の端部を表裏から挟むようにして押さえ、且つ、第一部材１３１の凹部１３３と第二部材１３２の突起部１３４とをスクリーン部１１０を間に介して嵌合させ、且つ、ネジ１３６により第一部材１３１と第二部材１３２とを固定することにより、スクリーン部を保持固定部１３０に確実に固定するものである。そして、フィルムシート１１０Ｂのレンズの形状に合わせた溝を第二の部材１３２側に形成し、これとフィルムシート１１０Ｂのレンズとを嵌合させてスクリーン１１０の固定をより確実としている。尚、１３５はスクリーン１１０を保持固定部１３０へ挾み入れる際のストッパーである。
保持固定部１３０の材質としては、ポリプロピレン、ＡＢＳ、硬質ポリ塩化ビニルなど寸法精度が良く比較的固い樹脂が適している。
固定保持部１３０の形状、構成としては図４（ａ）に示すものに特に限定はされない。図４（ｂ）に他の固定保持部の例を挙げておく。
図４（ｂ）（イ）、図４（ｂ）（ロ）、図４（ｂ）（ハ）に示すものは、図４（ａ）に示すものと同様に、第一の部材と第二の部材とは別個のものであるが、図４（ｂ）（ニ）示すものは第一の部材と第二の部材とが一体のものでできている。
図４（ｂ）中、１３１Ａ、１３１Ｂ、１３１Ｃ、１３１Ｄは第一の部材、１３２Ａ、１３２Ｂ、１３２Ｃ、１３２Ｄは第二の部材、１３３Ａ、１３３Ｂ、１３３Ｃ、１３３Ｄは凹部１３４Ａ、１３４Ｂ、１３４Ｃ、１３４Ｄは突起部、１３５Ａ、１３５Ｂ、１３５Ｃ、１３５Ｄはストッパー、１３６Ａ、１３６Ｂ、１３６Ｃは嵌合部、１３７は固定具である。
【００１２】
次いで、本実施例のスクリーン装置１１０の展張の動作を図１、図５に基づいて説明する。
先ず、図１（ｃ）の状態から、保持固定部１２０にてスクリーン部１１０を上側に引き上げながら、図５（ａ）ぐらいにスタンド兼ガイド１４０を伸ばした後、保持固定部１３０の両端をスタンド兼ガイド１４０の保持固定部受け用溝１４３に引っ掛ける。
次いで、図５（ｂ）ぐらいまで、スクリーン部１１０の両端のスタンド兼ガイド１４０を徐々に伸ばしてその間隔を広げていく。
次いで、さらにスクリーン部１１０の両端のスタンド兼ガイド１４０を伸ばしていき、完全に伸びきったところで、スクリーン部１１０も展張が完成する。（図１ａ）
尚、スタンド兼ガイド１４０を伸ばし、スクリーン部１１０を引き上げいく際に、図３に示す巻き取り装置１２０のスクリーン部１１０引き上口付近の貼り合わせ用のリップ１２７を通るが、ここでスクリーンの有効部外に設けた粘着剤によって２類のフィルムシートは１枚貼り合わされる。
また、図３に示すストッパー１２６Ａ、１２６Ｂは、スクリーン部１１０がきっちり張った状態でスクリーンの引き出しを止まるように設置するのではなく、図５（ｂ）の状態でストッパーがスタンド兼ガイド１４０にやっと掛かるように設定しておき、ストッパー１２６Ａ、１２６Ｂが引っ掛かると、この箇所以降のフィルム、シートの引出しは行われないため、掛かった以降は折り曲げ部１４１を持ちながら、左右に広げスタンド兼ガイド１４０を伸ばす。
【００１３】
【効果】
本発明は、上記のように、複数のフィルム、レンズシート類からなるスクリーン部を巻き取ることができ、スクリーン部を展張した際には巻き取りに起因したシートの浮きやシワが発生しないスクリーン装置の提供を可能としている。
特に、一対のスタンド兼ガイドは、折り畳み式で一方の端を保持固定部に取外し可能な状態で嵌合して固定されており、他方の端は巻き取り駆動部に可動状態で固定されていることより、装置全体を簡単な構造で、且つ、コンパクトなものとしている。
【図面の簡単な説明】
【図１】実施例のスクリーン装置を説明するための図
【図２】実施例のスクリーン装置のスタンド兼用ガイドの図
【図３】実施例のスクリーン装置の巻き取り部の断面図
【図４】実施例のスクリーン装置の保持固定部を説明するための図
【図５】実施例のスクリーン装置のスクリーンの展張動作を説明するための図
【符号の説明】
１００                        スクリーン装置
１１０                        スクリーン部
１２０                        巻き取り部
１２１                        巻き取り装置
１２２                        外装壁
１２５Ａ、１２５Ｂ            巻き取り駆動部
１２６Ａ、１２６Ｂ            過剰引き上げ防ストッパー
１２７                        貼り合わせ用リップ
１２８Ａ、１２８Ｂ            スボンジロール
１３０                        保持固定部
１３１                        第一の部材
１３２                        第二の部材
１３３                        凹部
１３４                        突起部
１３５                        ストッパー
１４０                        スタンド兼ガイド
１４１                        折り曲げ部
１４１Ａ                      蝶番
１４２                        溝
１４３                        保持固定部受け用溝
１４４Ａ、１４４Ｂ            直線柱部
１４５                        蝶番
１３１Ａ、１３１Ｂ、１３１Ｃ、１３１Ｄ      第一の部材
１３２Ａ、１３２Ｂ、１３２Ｃ、１３２Ｄ      第二の部材
１３３Ａ、１３３Ｂ、１３３Ｃ、１３３Ｄ      凹部
１３４Ａ、１３４Ｂ、１３４Ｃ、１３４Ｄ      突起部
１３５Ａ、１３５Ｂ、１３５Ｃ、１３５Ｄ      ストッパー
１３６Ａ、１３６Ｂ、１３６Ｃ                嵌合部
１３７                        固定具
【図１】
0003576298.tif 000002
【図２】
0003576298.tif 000003
【図３】
0003576298.tif 000004
【図４】
0003576298.tif 000005
【図５】
0003576298.tif 000006